(57)【特許請求の範囲】
【請求項１】
キャビネットの上面に、蓋体を開閉自在に設け、蓋体に覆われる開口内に、ディスクが載置されるターンテーブルと、該ターンテーブルに接近離間可能に設けられたピックアップを具えたシャーシが配備され、ピックアップにはディスクの信号面にビームを合焦させる対物レンズが設けられたディスク記録又は再生装置に於いて、
シャーシ上には、蓋体の開き動作に連動して、ターンテーブルのディスク載置面と対物レンズ間に進入して対物レンズに被さり、蓋体の閉じ動作に連動して、対物レンズを露出させる覆い板が配備され、
該覆い板は蓋体に連繋した駆動部材に係合し、該駆動部材には、蓋体の開き動作に連動して、ターンテーブルからディスクを持ち上げ、蓋体の閉じ動作に連動して、ディスクの持ち上げ動作を解除する昇降機構が連繋しているディスク記録又は再生装置。
【請求項２】
駆動部材は、シャーシ上を往復移動可能に設けられたスライド体、及びスライド体上を移動可能に配備されたラック片を具え、昇降機構はスライド体に係合し、蓋体は第１のバネ体にて開き方向に付勢され、ラック片は蓋体に噛合し、ラック片とスライド体の間には、第１のバネ体がラック片を付勢するよりも弱い力で、ラック片を第１のバネ体とは逆向きに付勢する第２のバネ体が設けられた請求項１に記載のディスク記録又は再生装置。
【発明の詳細な説明】
【０００１】
【発明の属する技術分野】
本発明は、ディスク記録又は再生装置に関する。
【０００２】
【従来の技術】
図９は、従来のディスク記録又は再生装置の斜視図であり、構成の説明の便宜上、装置内部を見せている。キャビネット(４)の上面には開口(41)が設けられ、該開口(41)はキャビネット(４)の上面に枢支された蓋体(40)により覆われる、開口(41)内には、周知の如くディスク(７)が載置されるターンテーブル(３)と、該ターンテーブル(３)に接近離間可能に設けられたピックアップ(２)を具えたシャーシ(１)が設けられている。ピックアップ(２)は、シャーシ(１)上のギア機構(図示せず)により駆動される。
ピックアップ(２)の上面には、ディスク(７)裏面にビームを合焦させる対物レンズ(20)を具え、シャーシ(１)上のガイド軸(21)に移動を案内される。ガイド軸(21)の両端部は、シャーシ(１)上のブラケット(18)(18)に嵌まる。尚、ガイド軸(21)は、ピックアップ(２)の両側部に対応して２本設けられるが、図示の便宜上、以下にガイド軸(21)を１本のみ示す。
図１０は、ディスク(７)の裏面図である。ディスク(７)の信号面には、円周方向に沿って複数のピット(73)(73)が凹設され、該ピット(73)にレーザー光を当てたときと、ピット(73)以外の箇所にレーザー光を当てたときとでは反射光の強さが異なる。これにより、０と１からなるデジタル信号を再生する。
【０００３】
ディスク(７)として、近年信号が高密度記録されたＤＶＤ(digital versatiledisc)が提案されている。該ＤＶＤでは図１０に示すように、隣り合うピット(73)(73)の間隔Ｈが狭い。
この為、レーザー光の光軸がディスク(７)の信号面に対して僅かに傾いた場合、誤った位置のピット(73)を照射し、信号を正しく再生できない虞れがある。
そこで、ブラケット(18)内に、ガイド軸(21)の傾き調整機構を設けることが提案されている。ディスク記録又は再生装置を製造する工程に於いて、図１１に示すように、傾き調整機構を操作してガイド軸(21)をピックアップ(２)の移動方向を含み、シャーシ(１)面に直交した面内にて傾け、ビームとディスク(７)面とを正確に直交させる。この結果、ビームがディスク(７)により正確に反射され、信号が正しく再生される。この傾き調整機構は周知技術である。
【０００４】
【発明が解決しようとする課題】
従来の装置にあっては、蓋体(40)を開けると、ピックアップ(２)及び対物レンズ(20)が露出する。このため、蓋体(40)を開けると、対物レンズ(20)に塵埃等が付着したり、対物レンズ(20)に直接指が触れて破損させることがあり、ディスクが正しく再生されない虞れがある。
また、図１１に示すように、ガイド軸(21)を傾ける結果、ディスク外周部とピックアップ(２)との間隔Ｓが非常に狭くなることがある。このため、対物レンズ(20)とディスクの裏面間に、対物レンズ(20)を保護する機構を配備する空間がない虞れもある。
本発明の目的は、蓋体を開けると、ピックアップが露出する装置に於いて、対物レンズを保護する機構を簡素な構造にて設けることにある。特に、対物レンズとディスクとの間隔が狭い装置にて、対物レンズを保護する機構を設けることにある。
【０００５】
【課題を解決するための手段】
シャーシ上には、蓋体の開き動作に連動して、ターンテーブルのディスク載置面と対物レンズ間に進入して対物レンズに被さり、蓋体の閉じ動作に連動して、対物レンズを露出させる覆い板が配備され、
該覆い板は蓋体に連繋した駆動部材に係合し、該駆動部材には、蓋体の開き動作に連動して、ターンテーブルからディスクを持ち上げ、蓋体の閉じ動作に連動して、ディスクの持ち上げ動作を解除する昇降機構が連繋している。
【０００６】
【作用及び効果】
蓋体を閉じるとき
蓋体(40)を閉じる際には、昇降機構(５)によって、ディスクの持ち上げが解除されるとともに、覆い板(８)が開いて、対物レンズ(20)が露出する。蓋体(40)を閉じる時は、一般にディスクを再生、又はディスクに信号を記録するから、対物レンズ(20)が露出することにより、対物レンズ(20)から発せられたビームがディスクの信号面を照射し、信号の記録又は再生ができる。
蓋体を開くとき
蓋体(40)を開く際には、蓋体(40)の開き動作に連動して、昇降機構(５)はディスクを持ち上げて、ピックアップ(２)とディスクとの間隔Ｓを広げる。覆い板(８)はピックアップ(２)とディスク(７)との間に進入して、対物レンズ(20)に被さり、外部からの塵埃等から対物レンズ(20)を保護する。
本発明にあっては、蓋体(40)に連動して覆い板(８)が開閉するから、覆い板(８)の開閉に別途駆動源を必要とせず、簡素な機構で対物レンズ(20)を保護することができる。また、覆い板(８)が対物レンズ(20)に被さる際には、昇降機構(５)によりピックアップ(２)とディスクとの間隔Ｓが広がるから、覆い板(８)はスムーズに間隔Ｓ内に進入することができる。従って、信号の記録又は再生時に、対物レンズ(20)とディスクとの間隔が狭い装置にあっても、対物レンズ(20)を外部からの塵埃等から保護することができる。
【０００７】
【発明の実施の形態】
(全体構成)
以下、本発明の一例を図を用いて詳述する。
図１は、本例に関わるディスク記録又は再生装置の斜視図であり、本例の構成を説明するために、内部を見せている。本例は、対物レンズ(20)を保護する機構に特徴がある。ピックアップ(２)がガイド軸(21)に案内されて、ターンテーブル(３)に接近離間する構成は、従来と同様である。
キャビネット(４)の上面には、開口(41)が設けられ、該開口(41)はキャビネット(４)の上面に枢支された蓋体(40)により覆われる。開口(41)内には、ターンテーブル(３)と、ピックアップ(２)を具えたサブシャーシ(15)が設けられている。蓋体(40)の裏面には、ターンテーブル(３)との間でディスクを挟持するクランパ(９)が設けられている。
サブシャーシ(15)は、キャビネット(４)内のシャーシ(１)に防振部材(13)(13)を介して取り付けられ、該シャーシ(１)には受け板(10)が設けられている。受け板(10)上には、ピックアップ(２)の移動方向に直交する面内を移動する覆い板(８)がスライド可能に設けられ、該覆い板(８)に開設された長孔(80)が受け板(10)に設けられた突起(11)に嵌まってスライドを案内される。覆い板(８)は受け板(10)に重なり、対物レンズ(20)を露出させる位置と、対物レンズ(20)に被さる位置との間を往復動可能に設けられ、覆い板(８)をスライドさせる機構は後記する。
また、図１では覆い板(８)は円弧形を呈しているが、平板であってもよい。
【０００８】
ターンテーブル(３)の外側には、ディスク持上げレバー(50)が配備され、該ディスク持上げレバー(50)は、シャーシ(１)から立設した支持片(12)に枢支(51)されて上下動する。ディスク持上げレバー(50)からは、ディスクの裏面に接する上げ棒(52)(52)(52)が上向きに突出し、蓋体(40)が開いた状態では、該上げ棒(52)の先端部はターンテーブル(３)のディスク載置面(30)よりも上方に位置している。即ち、このままディスクをディスク載置面(30)に置こうとしても、ディスクは上げ棒(52)(52)(52)の先端部にて受けられ、ディスク載置面(30)に置かれない。
【０００９】
図２は、シャーシ(１)の平面図であり、キャビネット(４)及び蓋体(40)を省いている。また、図３は、シャーシ(１)の斜視図である。シャーシ(１)上にて受け板(10)の近傍には、駆動部材(６)が設けられており、該駆動部材(６)は、シャーシ(１)上を、ピックアップ(２)の移動方向と直交する方向に往復移動可能に設けられたスライド体(60)、及びスライド体(60)上をスライド体(60)と同じ向きに移動するラック片(61)を具えている。後記の如く、ラック片(61)が蓋体(40)に噛合し、蓋体(40)の開閉に連動して、駆動部材(６)が動く。
ラック片(61)とスライド体(60)の端部間には、ラック片(61)を右向きに付勢する引張りバネ(62)が設けられ、ラック片(61)はスライド体(60)上のストッパ(64)に接して、引っ張られ過ぎることを規制されている。
スライド体(60)には長孔(65)(65)が開設され、該長孔(65)(65)がシャーシ(１)上のボス(図示せず)に嵌まって、移動を案内される。スライド体(60)には、ディスク持上げレバー(50)の自由端部から延びた嵌め軸(53)が嵌まる傾斜孔(63)が開設され、上向きに嵌合軸(66)を突出している。該嵌合軸(66)が覆い板(８)に開設された孔(81)に余裕を持って嵌まり、スライド体(60)が移動すると、覆い板(８)がスライド体(60)に引っ張られて受け板(10)上を移動する。
【００１０】
図４は、スライド体(60)の正面図であり、図５は、ディスク持上げレバー(50)を図３のＤ方向から見た図であり、サブシャーシ(15)とターンテーブル(３)は図示しない。ディスク持上げレバー(50)の嵌め軸(53)が、傾斜孔(63)の下端に位置しているときは、ディスク持上げレバー(50)は、図５に一点鎖線で示すように、枢支部(51)を中心として傾き、上げ棒(52)(52)(52)がディスクを押し上げる。スライド体(60)が図４に矢印Ｃで示す右向きに動くと、傾斜孔(63)に沿って、嵌め軸(53)が上昇する。ディスク持上げレバー(50)は、図５に実線で示すように、水平状態となり、上げ棒(52)(52)(52)が下がる。即ち、ディスク持上げレバー(50)は、ディスクの昇降機構(５)を構成する。
【００１１】
(蓋体の開閉動作)
蓋体の開き状態
図６(a)、(b)は、図３をＥ方向から見た図であり、ディスク(７)を破断している。また、図７(a)、(b)、図８は、蓋体(40)の開閉状態を示す図であり、図１をＦ方向から見ており、ピックアップ(２)を省く。
図７(a)に示すように、蓋体(40)の基端部には、歯面(42)が形成されており、該歯面(42)がラック片(61)に噛合する。蓋体(40)はキャビネット(４)上のストッパ(図示せず)に接して、開き過ぎを規制される。蓋体(40)は枢支部(43)に嵌められたネジリバネ(図示せず)により、開く向きに付勢され、該ネジリバネが歯面(42)を介してラック片(61)を左向きに付勢する力ｆ１は、引張りバネ(62)がラック片(61)を付勢する力ｆ２よりも大きく、力ｆ１と力ｆ２は互いに反対向きである。引張りバネ(62)はバネ定数が小さく、多少延ばされても、ｆ２の変化量は小さい。
蓋体(40)が開いた状態では、ラック片(61)は最も左側に寄っており、引張りバネ(62)により、スライド体(60)も最も左側に位置する。ディスク持上げレバー(50)の嵌め軸(53)は、図７(a)に示す如く、傾斜孔(63)の下端に位置している。前記の如く、ディスク持上げレバー(50)はディスクを持ち上げている(図６(b)参照)。
また、駆動部材(６)が左側に寄っているから、図６(b)に示すように、嵌合軸(66)が覆い板(８)を対物レンズ(20)に向けて動かす。覆い板(８)は嵌合軸(66)に沿って上昇しながら、受け板(10)上をスライドする。覆い板(８)の先端部は、対物レンズ(20)に被さり、対物レンズ(20)を外部からの塵埃から保護する。
【００１２】
蓋体の閉じ状態
図７(b)に示すように、蓋体(40)をネジリバネに抗して手で閉じる。歯面(42)は蓋体(40)の枢支部(43)を中心に反時計方向に回動し、ラック片(61)を右向きに動かす。スライド体(60)はストッパ(64)がラック片(61)に押されてラック片(61)とともに右に動く。
嵌め軸(53)は、傾斜孔(63)の上端に位置し、ディスク持上げレバー(50)は、前記の如く、水平状態となる。上げ棒(52)(52)(52)が下がり、ターンテーブル(３)のディスク載置面(30)にディスクを置くことができる(図６(a)参照)。
駆動部材(６)が右側に寄っているから、嵌合軸(66)が覆い板(８)を対物レンズ(20)に被さった位置から、図６(a)に示す如く、右向きに動かす。覆い板(８)は嵌合軸(66)に沿って下降しつつ、受け板(10)上をスライドする。対物レンズ(20)が露出し、図７(b)に示す如く、クランパ(９)とターンテーブル(３)とで、ディスクが挟持されて、信号の記録又は再生ができる。
閉じた蓋体(40)は、ロック機構(図示せず)によりキャビネット(４)に係止されて閉じ状態を保つ。ロック機構を操作して、蓋体(40)のキャビネット(４)への係止状態を手で解除すれば、蓋体(40)はネジリバネにより自動的に開く。駆動部材(６)は上記と逆向きの動作をし、ディスク持上げレバー(50)はディスク(７)を持ち上げる。
【００１３】
蓋体が開いた状態でディスクを押さえたとき
図８に示すように、ディスク持上げレバー(50)上に、ディスク(７)を載置した後に、不注意に手でディスク(７)を下向きに押さえることがある。この場合、駆動部材(６)を介して蓋体(40)が閉じれば、蓋体(40)とキャビネット(４)とで手を挟み、危険である。本例の装置では、以下に示すように、手でディスク(７)を押さえても、蓋体(40)は閉じない。
手でディスク(７)を押さえると、ディスク持上げレバー(50)が回動し、図８に示すように、嵌め軸(53)が持ち上がる。嵌め軸(53)は傾斜孔(63)を介して、スライド体(60)を右向きに押す。
しかし、前記の如く、蓋体(40)を付勢するネジリバネが歯面(42)を介してラック片(61)を左向きに付勢する力ｆ１は、引張りバネ(62)がラック片(61)を付勢する力ｆ２よりも大きい(図７(a)参照)。従って、スライド体(60)が右向きに付勢されて、引張りバネ(62)が延びても、ラック片(61)は移動せず、蓋体(40)は開き状態を保つ。従って、手でディスク(７)を押さえても蓋体(40)が不用意に閉じて、蓋体(40)とキャビネット(４)との間で手を挟むことはない。
【００１４】
本例にあっては、蓋体(40)に連動して覆い板(８)が開閉するから、覆い板(８)の開閉に別途駆動源を必要とせず、簡素な機構で対物レンズ(20)を保護することができる。また、覆い板(８)が対物レンズ(20)に被さる際には、昇降機構(５)によりピックアップ(２)とディスクとの間隔Ｓが広くなっているから、覆い板(８)はスムーズに間隔Ｓ内に進入することができる。従って、信号の記録又は再生時に、対物レンズ(20)とディスクとの間隔が狭い装置にあっても、対物レンズ(20)を外部からの塵埃等から保護することができる。
上記例では、蓋体(40)はネジリバネにより開き方向に付勢されているとしたが、ネジリバネに代えて、板バネでもよい。
また、出願人は本願の特徴である覆い板(８)、昇降機構(５)の構成を、蓋体(40)が開くと、対物レンズ(20)が露出する形式の装置に限定している。従って、図１２に示すように、従来からディスク(７)を載置するトレイ(95)をキャビネット(４)に対して出没自在に設け、キャビネット(４)内にトレイ(95)が収納された状態で、信号の記録又は再生を行う装置があるが、本発明はこのような形式の装置には、適用しない。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本例に関わるディスク記録又は再生装置の斜視図であり、本例の構成を説明するために、内部を見せている。
【図２】シャーシの平面図である。
【図３】シャーシの斜視図である。
【図４】スライド体の正面図である。
【図５】ディスク持上げレバーを図３のＤ方向から見た図である。
【図６】(a)、(b)は、図３をＥ方向から見た図である。
【図７】(a)は、蓋体の開き状態を示す図であり、(b)は、蓋体の閉じ状態を示す図である。
【図８】蓋体の開き状態を示す図であり、ディスクを上から押さえている。
【図９】従来のディスク記録又は再生装置の斜視図であり、構成の説明の便宜上、装置内部を見せている。
【図１０】ディスクの裏面図である。
【図１１】図９をＧ方向から見た図である。
【図１２】トレイを有する従来の装置の側面図である。
【符号の説明】
(１)  シャーシ
(２)  ピックアップ
(３)  ターンテーブル
(６)  駆動部材
(７)  ディスク
(８)  覆い板
(20)  対物レンズ
(40)  蓋体
(41)  開口
(60)  スライド体
(61)  ラック片
【図１】
0003796142.tif 000002
【図２】
0003796142.tif 000003
【図３】
0003796142.tif 000004
【図４】
0003796142.tif 000005
【図５】
0003796142.tif 000006
【図６】
0003796142.tif 000007
【図７】
0003796142.tif 000008
【図８】
0003796142.tif 000009
【図９】
0003796142.tif 000010
【図１０】
0003796142.tif 000011
【図１１】
0003796142.tif 000012
【図１２】
0003796142.tif 000013